(57)【要約】【課題】  複数の通信システムを用いる通信端末の使い勝手を向上する。【解決手段】第１の通信システムで通信を行う第１の通信部と、第１の通信システムと異なる第２の通信システムで通信を行う第２の通信部とを備え、前記第２の通信システムで通信を行っている際に所定間隔で前記第１の通信部を起動する無線通信端末であって、前記第２の通信システムで通信を行っている際に第１の通信システムからの呼び出しを受け付けるか否かを設定する設定手段と、前記設定手段により前記第２の通信システムで通信を行っている際に前記呼び出しを受け付けないように設定されている場合に前記第１の通信部が前記第１の通信システムからの呼び出しを受信したとき、前記第１の通信システムと接続処理を行わずに前記第１の通信部の動作を停止するように制御する制御手段と、を備える。【選択図】  図４
2005094531.tif 000002
【特許請求の範囲】
【請求項１】
第１の通信システムで通信を行う第１の通信部と、第１の通信システムと異なる第２の通信システムで通信を行う第２の通信部とを備え、前記第２の通信システムで通信を行っている際に所定間隔で前記第１の通信部を起動する無線通信端末であって、
前記第２の通信システムで通信を行っている際に第１の通信システムからの呼び出しを受け付けるか否かを設定する設定手段と、
前記設定手段により前記第２の通信システムで通信を行っている際に前記呼び出しを受け付けないように設定されている場合に、前記第１の通信部が前記第１の通信システムからの呼び出しを受信したとき、前記第１の通信システムと接続処理を行わずに前記第１の通信部の動作を停止するように制御する制御手段と、を備えていることを特徴とする無線通信端末。
【請求項２】
前記無線通信端末は、前記第１の通信部が前記第１の通信システムからの呼び出しを受信したとき、前回の起動時に呼び出し情報を受信していない場合は着信件数を１増加し、前回の起動時に呼び出し情報を受信している場合は着信件数を変更せずに表示することを特徴とする請求項１に記載の無線通信端末。
【請求項３】
前記第１の通信部が起動時に呼び出し情報を受信したか否かを記憶する記憶手段と、を備えていることを特徴とする請求項２に記載の無線通信端末。
【請求項４】
前記第２の通信システムは、主にデータ通信に用いられることを特徴とする請求項１ないし３のいずれかに記載の無線通信端末。
【発明の詳細な説明】
【技術分野】
【０００１】
複数の通信システムで通信可能な無線通信端末に関する。
【背景技術】
【０００２】
データ通信中に音声着信がなされたときに、そのデータ通信の種類に応じて異なる処理を行う移動端末がある（例えば、特許文献１参照）。この移動端末は、データ通信中に、音声着信を受けると、管理テーブルに従って音声着信通知応答を基地局に送信する。基地局は、この着信通知を行う旨の音声着信通知応答を移動端末から受信すると、音声通信の送信側端末に対して所定のガイダンスを送信すると供に、移動端末に対して音声着信通知応答確認を送信する。
【０００３】
【特許文献１】特開２００２−６４８６７号公報
【発明の開示】
【発明が解決しようとする課題】
【０００４】
従来技術に記載の移動端末は、１つの通信方式により音声通信とデータ通信を行うものであるため、データ通信中にユーザに対して着信通知を行わない設定になっている場合でも、データ通信を再開するために基地局に音声着信通知応答を行う必要がある。
【０００５】
一方、複数の通信システムを用いた通信端末では、データ通信中の着信通知を行わないように設定されている場合に音声着信通知を受信したとき、通信端末から音声着信通知応答を行わずに、データ通信を再開することができる。一般に、基地局からデータを受信するよりも、通信端末から基地局にデータを送信する際により多くの電力を消費する。従って、基地局に対して応答を行わないことにより、電力消費を抑制することができる。しかし、通信端末から基地局に着信通知応答を行わないと、基地局は音声着信通知を送信し続け、通信端末はワンコールに対して何回も音声着信通知を受信する。この場合に、通信端末が音声着信通知を受信するごとに着信件数をカウントしてしまうと、実際は着信が１件にもかかわらず、複数の着信があったとユーザに通知してしまい、ユーザは着信数を知ることができず、使い勝手が悪くなるという問題が発生しうる。
【０００６】
そこで、本発明は、複数の通信システムを用いる通信端末の使い勝手を向上することを目的とする。
【課題を解決するための手段】
【０００７】
前記目的は、特許請求の範囲記載の発明によって達成される。
【発明の効果】
【０００８】
本発明によれば、複数の通信システムを用いる通信端末の使い勝手を向上することができる。
【発明を実施するための最良の形態】
【０００９】
図１は、無線通信システムを示す図である。１００は、携帯電話やＰＤＡ（Personal Digital Assistance）等の無線通信端末である。１０１は、例えばＣＤＭＡ（Code Division Multiple Access）等のセルラー電話（ＰＨＳ）通信システムである第１の通信システムの基地局である。１０１ａは基地局１０１がカバーするサービスエリア、１０２は基地局１０１や他の基地局が接続する第１の通信システムの通信網である。無線通信端末１００は、サービスエリア１０１ａ内で、他の無線通信端末や固定電話と音声通話やデータ通信、ＦＡＸ通信を行うことが可能である。
【００１０】
１０３は、例えば無線ＬＡＮや1x EV-DO（Evolution Data Only）などの第２の通信システムの基地局である。１０３ａは基地局１０３がカバーするサービスエリア、１０４は基地局１０３や他の基地局を接続する第２の通信システムの通信網である。無線通信端末１００は、第２の通信システムで通信を行うことにより、第１の通信システムと比べて高速なデータ通信を行うことができる。
【００１１】
なお、図１に示す無線通信システムでは、第１の通信システムの通信網１０２と第２の通信システムの通信網１０４は互いに独立しているが、インターネット網などを介して通信網１０２と通信網１０４を接続してもよい。
【００１２】
図２は、無線通信端末の構成を示す図である。制御部２０１は、例えばＣＰＵ（Central Processing Unit）であり、以下に述べる無線通信端末の各構成部における動作制御や、入力された情報の処理を行う。例えば、記憶部２０６にデータを記憶したり、表示部２０７に状態やデータを表示したり、マイク２０８により音を入力したり、スピーカ２０９で音を出力したり、外部接続部２１１により接続されたパソコンとの間でデータを送受するように制御する。
【００１３】
第１通信部２０２は、送受信部２０４およびアンテナ２０５を介して、基地局１０１等の第１の通信システムを用いた基地局との間で信号の送受信を行う。第２通信部２０３は、送受信部２０４およびアンテナ２０５を介して、基地局１０３等の第２の通信システムを用いた基地局との間で信号の送受信を行う。なお、本無線通信端末では、第１の通信システムおよび第２の通信システムで送受信部２０４およびアンテナ２０５を共有して用いているが、別々に設けるようにしても良い。
【００１４】
記憶部２０６は、制御部２０１が制御や処理を行う際に用いるプログラムや、ユーザーデータなどのデータを格納する。表示部２０７は、例えば液晶ディスプレイ等のディスプレイであり、電池残量や圏外表示、メールなどを表示する。入力部２１０は、テンキーやカーソルキーにより構成され、ユーザがデータを入力するときや、処理等を選択するときに用いられる。なお、入力部２１０は、ユーザがペンや指を用いてディスプレイに触れることにより文字や数字を入力することが可能なタッチパネル方式にしても良い。
【００１５】
図３は、基地局１０１のカバーエリア１０１ａと基地局１０３のカバーエリア１０３ａ内で、無線通信端末１００が第２の通信システムによりデータ通信を行っている場合の第１通信部２０２と第２通信部２０３の動作を示す図である。
【００１６】
図３のＴ３０１に示すように、第２の通信部が基地局１０３との間で通信を行っているとき、第１の通信部２０２は送受信部２０４のリソースが割り当てられていないので、基地局１０１の捕捉処理を行わず、停止状態になる。
【００１７】
所定時間が経過し、図３のＴ３０２になると、制御部２０１は第２の通信部２０３の通信動作を停止させ、送受信部２０４のリソースを第１の通信部２０２に割り当て、第１の通信部２０２の動作を開始させる。無線通信端末１００は第１の通信システムにより基地局１０１と通信を開始し、基地局情報の更新や自局への呼び出しの有無を確認する。
【００１８】
次に、図４を用いて、無線通信部１００が第１通信部２０２にて受信処理を行う場合の処理を説明する。図４は、図３のＴ３０３における無線端末装置１００の動作を示す第１の実施形態のシーケンス図である。
【００１９】
制御部２０１の制御により第１通信部２０２が動作状態になると、第１の通信システムで通信を行う基地局の状態を捕捉する処理と、自局への呼び出しがあることを示す着信通知が基地局から送信されているか否かを確認する（４０２）。
【００２０】
呼び出しがない場合は、着信がないことを示す着信フラグをＦＡＬＳＥにセットし（４０３）、受信処理を終了し、第１通信部２０２を停止する処理を開始する（４１７）。第１通信部２０２が停止すると、制御部２０１は第２通信部２０３が動作を開始させ、第２のシステムを用いたデータ通信を再開する。
【００２１】
基地局１０１から呼び出しがある場合は、着信を受け付けるかどうかの確認を行う（４０４）。基地局から呼び出しがあった場合に、この呼び出しを受け付け、着信通知を行うかどうかは、ユーザが入力部２１０を用いて予め選択しておく。
【００２２】
ユーザが、第２の通信システムで通信している際に、第１の通信システムの呼び出しを受け付ける設定を行っていた場合、第１の通信システムの着信処理を行う（４０４）。無線通信端末１００は、基地局１０１とネゴシエーションを開始し接続処理を行う（４０９）。基地局１０１から送信された呼び出し元の電話番号などの情報を受信すると（４１０）、無線通信端末１００はリンギングを開始する（４１１）。リンギングを開始後、ユーザが応答（４１２）しなければ、基地局１０１から切断要求４１３が送信されると、基地局１０１との通話の切断処理を行う（４１６）。一方、ユーザが応答した場合、移動機１００は第１のシステムで通話状態（４１４）になり、通話が終了すると切断処理を行う（４１６）。
【００２３】
切断処理後、第１通信部２０２を停止し（４１７）、第２のシステムを用いた高速データ通信を再開する。
【００２４】
ユーザが第２のシステムの通信中に第１のシステムの呼び出しを受け付けない設定にしていた場合の動作について、図５と図６を用いて説明する。
【００２５】
図５と図６は基地局１０１からの呼び出しと無線通信端末１００の関係を示す図である。図５において図２、図３と同一符号は同一の機能を示している。図６において図２、図３、図５と同一符号は同一の機能を示している。
【００２６】
第１の通信部２０２が動作中に基地局１０１から呼び出しがあった場合（３０４）、制御部２０１は、第１の通信部２０２が前回動作したときに着信があったかどうかを示す着信フラグを判定する（４０５）。前回着信がなかった場合（着信フラグがＦＡＬＳＥ）、記憶部２０６に確保している着信フラグをＴＲＵＥにし（４０６）、記憶部２０６に確保している着信件数を１件追加する（４０７）。次に５０１に示すように着信があったことと、着信件数を表示部２０７に表示する（４０８）。
【００２７】
制御部２０１は表示部２０７に呼び出しがあることを示すメッセージの表示は行うと、ユーザが応答するのを待たずに、必要な情報の受信を終えると制御部２０１は第１通信部２０２の停止処理を開始する（４１７）。その後、第２通信部２０３は第２の通信システムを用いたデータ通信を再開する。
【００２８】
所定の時間が経過すると、制御部２０１は再び第２の通信システムを用いた通信を中断し、第１の通信システムの受信動作を開始する。基地局１０１は移動機１００が前回の呼び出し（３０４）に対する返事がないため呼び出し（３０４−１）の再送を行うので、第１通信部２０２は呼び出し（３０４−１）を受信する。
【００２９】
判定（４０５）では前回着信があったことを示す着信フラグがＴＲＵＥになっている場合は、着信表示４０８において前回と同じ表示を行う（５０１）。このように、ワンコール中に基地局１０１から連続して着信を受信しても、着信件数を変更することなく表示を行うことができる。
【００３０】
一方、図６のように呼び出し３０４を着信し、表示部２０７に着信表示５０１を表示した後、第１通信部２０２は所定期間停止し、再度起動したときに呼び出しがなかった場合、着信フラグをＦＡＬＳＥにする（４０３）。その場合、表示部２０７には前回と同じ着信表示５０１が表示されていることになる。その後、所定時間が経過し、第１の通信部２０２が動作したときに呼び出し（６０１）を着信すると判定（４０５）では着信フラグがＦＡＬＳＥになっているので、着信フラグをＴＲＵＥにし（４０６）、着信件数を１件追加する（４０７）。表示部２０７の着信表示は６０２のように着信件数を前回表示していた件数に１件追加して表示を行う（４０８）。
【００３１】
このように、第１通信部２０２が受信する呼び出しが連続している場合は同一の呼び出し元からの呼び出しであり、断続した場合は新たな呼び出しであると判断することにより、着信件数を正確に表示することができる。
【００３２】
ＣＤＭＡ方式等の既存の通信システムでは、電話番号等の呼び出し元の情報は、呼び出し３０４には含まれず、無線通信端末と基地局との間で接続処理を行った後に、基地局から無線通信端末に送信されるようになっている。以上説明したように、本実施形態では、呼び出し元の情報を用いることなく、呼び出し３０４が連続しているか否かを示す着信フラグを用いて着信件数を判断する。そのため、第１の通信システムに既存の通信システムを用いる場合であっても、第１の通信システムの基地局と接続処理を行う必要がないため、第２の通信システムを用いたデータ通信を早急に再開することができるとともに、第１の通信システムでの着信件数をユーザに通知することができる。
【００３３】
なお、第２の通信システムによる通信終了後に、第１の通信システムの基地局から、呼び出し元の情報をまとめて受信し、電話番号あるいは電話番号に対応する名称を表示部２０７に表示するようにしても良い。これによれば、第２の通信システムでの通信中断時間を削減しつつ、通信中に着信があった相手の情報をユーザに知らせることができる。
【００３４】
また、図７を用いて以下に説明するように、基地局との間で接続処理を行い、呼び出し元情報を受信した後に着信を受け付けるか否かの判断を行うようにしても良い。本実施形態では、基地局との間で接続処理を行うため、図４に示した実施形態に比べて第２の通信の再開に時間を要するが、より多くの情報をユーザに知らせることができる。図４に示した処理と図７に示した処理とをユーザが使用状況に応じて選択できるようにすることにより、ユーザの使い勝手を向上することができる。
【００３５】
以下、図７のフローを説明する。図７において、図３、図４と同一符号は同一の機能を示している。基地局１０３から呼び出しがあった場合、接続処理を行い（４０９）、呼び出し元情報の受信処理を行う（４１０）。着信を受け付けるかどうかの判定（４０４）を行い、ユーザが着信を受け付けない設定にしていた場合、受信した呼び出し元情報とその着信件数を表示部２０７に明示する（７０１）。表示部２０７に表示する内容は、呼び出し元の電話番号であったり、記憶部２０６に記憶しているアドレス帳とリンクした呼び出し元の名前であったり、写真であったりしてもよい。
【００３６】
必要な情報の受信を終えると第１通信部２０２は停止する処理を開始し（４１７）、その後、第２のシステムを用いた高速データ通信を再開する。ユーザーが着信を受け付ける設定にしていた場合の処理は前記図４で説明したリンギング以降の処理と同じである。
【００３７】
図８は、第１の通信システムで呼び出しがあったことを示す表示の実施形態を示す。８０１は高速データ通信を行っていることを示す表示や高速データ通信を用いたサービスで受信している内容を示す。８０２は第１のシステムの呼び出しがあったことを文字で示している。８０２は第１のシステムの呼び出しがあり、着信情報から呼び出し元情報を表示しさらには呼び出し元からの着信件数を表示している。８０３は第１のシステムの呼び出しがあったことをアイコンで示している。また、呼び出しがあったことを表示部２０７に表示しないで無線通信端末１００に設けられたＬＥＤなどを点灯させてもよい。
【００３８】
以上の実施形態では、第２の通信システムで通信を行っている場合に、第１の通信システムでの呼び出しを受信する場合を例にとって説明したが、反対の場合も同様である。但し、第１の通信システムでの通信中は、第２の通信部２０３をずっと停止させる設定をユーザが選択できるようにしても良い。例えば、第２の通信システムがデータ専用通信あるいはデータ通信を主に行うものである場合、例えば無線ＬＡＮやＥＶ-ＤＯ（Evolution Data Only）である場合には、ユーザが着信通知を省略し、第１の通信システムでの通信終了後にまとめてデータを受信することを希望する場合がある。そのため、使用状況に応じて設定を選択できるようにすることにより、ユーザの使い勝手を向上することができる。
【００３９】
また、以上の実施形態では、複数の通信システムの１つを使用している際に、他の通信システムの呼び出しを受け付けるかどうかは、無線通信端末に設定しておいたが、これに限定するものではなく、予め基地局に呼び出しを受け付けるかどうかを登録しておいても良い。この場合、呼び出しを受け付けない設定になっている場合、端末から応答があるか否かにかかわらず、基地局はワンコールに対して一度だけ着信通知を行う。また、ユーザが呼び出しを受け付けない時間帯を登録している場合には、基地局はその時間帯経過後にまとめて着信通知を行うことにより、効率的に通信を行うことができる。
【図面の簡単な説明】
【００４０】
【図１】無線通信システムを示す図である。
【図２】無線通信端末の構成を示す図である。
【図３】無線通信端末が第２のシステムにより通信を行っている場合の、第１通信部と第２通信部の動作を示す図である。
【図４】図３のＴ３０２における無線端末装置の動作を示すシーケンス図である。
【図５】無線通信端末が第２のシステムにより通信を行っている場合の、第１通信部と第２通信部の動作および表示を説明する図である。
【図６】無線通信端末が第２のシステムにより通信を行っている場合の、第１通信部と第２通信部の動作および表示を説明する図である。
【図７】図３のＴ３０３における無線端末装置の動作を示すシーケンス図である。
【図８】呼び出しがあったことを示す表示例を示す。
【符号の説明】
【００４１】
１００…無線端末装置、１０１…第１のシステムの基地局、１０１ａ…サービスエリア、１０２…第１のシステムの通信網、１０３…第２のシステムの基地局、１０３ａ…サービスエリア、１０４…第２のシステムの通信網、２０１…制御部、２０２…第１通信部、２０３…第２通信部、２０４…送受信部、２０５…アンテナ、２０６…記憶部、２０７…表示部、２０８…マイク，２０９…スピーカ、２１０…入力部、２１１…外部接続部、Ｔ３０１〜Ｔ３０３…無線端末装置の各状態、３０４，３０４−１，３０４−２，６０１…基地局からの呼び出し、４０１〜４１７、７０１…第１通信部の処理の各ステップ、５０１，６０２，８０１〜８０３…無線端末装置の表示構成要素
【図１】
2005094531.tif 000003
【図２】
2005094531.tif 000004
【図３】
2005094531.tif 000005
【図４】
2005094531.tif 000006
【図５】
2005094531.tif 000007
【図６】
2005094531.tif 000008
【図７】
2005094531.tif 000009
【図８】
2005094531.tif 000010